(57)【要約】【課題】経済的に、生物を活性化することができる生物活性化装置を提供すること。【解決手段】浴槽１内に、浴槽１内の液体の濁度を測定する濁度計を設置する。浴槽装置３９に、濁度計２２からの信号を受けるシーケンサー２０と、シーケンサー２０からの信号に基づいて開度が制御される電動ニードルバルブ１７と、電動ニードルバルブ１７の気体流出側の開口に空気配管１６を介して接続されると共に、浴槽１に配管５を介して接続され、かつ、配管５から吸入した液体にマイクロバブルまたはマイクロナノバブルを含有させて吐出する気液混合循環ポンプ装置４を組み込む。浴槽装置３９に、気液混合循環ポンプ装置４からの液体を取り込むと共に、マイクロナノバブルまたはナノバブルを含んだ液体を排出する気体剪断部９を組み込み、気体剪断部９からの液体を浴槽１内に導入する。【選択図】図１
2008173370.tif 000002
【特許請求の範囲】
【請求項１】
液体を収容する浴槽と、
上記浴槽内の液体の濁度を測定する濁度計と、
上記濁度計からの信号を受ける制御装置と、
上記制御装置からの信号に基づいて開度が制御されるバルブと、
上記バルブの気体流出側の開口に空気配管を介して接続されると共に、上記浴槽に第１液体案内部を介して接続され、かつ、上記第１液体案内部から吸入した液体にマイクロバブルまたはマイクロナノバブルを含有させると共に、上記マイクロバブルまたはマイクロナノバブルを含有させられた液体を吐出する気液混合循環ポンプ装置と、
上記気液混合循環ポンプ装置の液体吐出側の開口に第２液体案内部を介して接続されて、上記第２液体案内部から上記マイクロバブルまたはマイクロナノバブルを含有させられた液体を取り込んで、上記マイクロバブルまたはマイクロナノバブルを剪断して微細化する気体剪断部と、
上記気体剪断部の液体排出側の開口から上記マイクロナノバブルまたはナノバブルを含んだ液体を上記浴槽内に案内する第３液体案内部と
を備えることを特徴とする生物活性化装置。
【請求項２】
請求項１に記載の生物活性化装置において、
上記気液混合循環ポンプ装置が吐出する上記マイクロバブルまたはマイクロナノバブルが含有させられた液体の吐出量は、上記制御装置からの信号に基づいて制御されることを特徴とする生物活性化装置。
【請求項３】
請求項２に記載の生物活性化装置において、
上記制御装置は、回転数制御部を有し、
上記気液混合循環ポンプ装置は、モーターを有し、
上記モーターの回転数は、上記回転数制御部からの信号に基づいて制御されることを特徴とする生物活性化装置。
【請求項４】
請求項１に記載の生物活性化装置において、
上記浴槽は、上記気体剪断部からの上記マイクロナノバブルまたはナノバブルを含んだ液体を取り込む取込口と、上記浴槽が所定の位置に設置された状態で、上記取込口よりも鉛直方向の上方に位置する排出口とを有していることを特徴とする生物活性化装置。
【請求項５】
請求項１に記載の生物活性化装置において、
上記気体剪断部の液体排出側の開口に第４液体案内部を介して接続された第１減圧バルブと、
上記第１減圧バブルの液体流出側の開口に第５液体案内部を介して接続されたシャワー吐出部と
を備えることを特徴とする生物活性化装置。
【請求項６】
請求項１に記載の生物活性化装置において、
上記気体剪断部の液体排出側の開口に第６液体案内部を介して接続された第２減圧バルブと、
上記第２減圧バブルの液体流出側の開口に第７液体案内部を介して接続された洗濯機と
を備えることを特徴とする生物活性化装置。
【請求項７】
請求項４に記載の生物活性化装置において、
上記制御装置は、上記気体剪断部からマイクロナノバブルを含んだ液体を、上記浴槽に導入すると同時にまたは上記浴槽に導入した後に、上記浴槽内の液体の量を増大させて、上記排出口から液体を排出する制御を行うことを特徴とする生物活性化装置。
【請求項８】
請求項１に記載の生物活性化装置において、
上記気体剪断部は、旋回流型バブル発生機であることを特徴とする生物活性化装置。
【請求項９】
請求項１に記載の生物活性化装置を備えることを特徴とする糖尿病治療装置。
【請求項１０】
請求項１に記載の生物活性化装置を備えることを特徴とする美容促進装置。
【請求項１１】
請求項１に記載の生物活性化装置を備えることを特徴とする育毛促進装置。
【請求項１２】
請求項１に記載の生物活性化装置を備えることを特徴とする中枢神経疾患治療装置。
【請求項１３】
請求項１に記載の生物活性化装置を備えることを特徴とする心血管系疾患治療装置。
【請求項１４】
請求項１に記載の生物活性化装置を備えることを特徴とする代謝異常疾患治療装置。
【請求項１５】
請求項１に記載の生物活性化装置を備えることを特徴とする消化器疾患治療装置。
【請求項１６】
請求項１に記載の生物活性化装置を備えることを特徴とする運動器疾患治療装置。
【請求項１７】
請求項１に記載の生物活性化装置を備えることを特徴とする皮膚科領域疾患治療装置。
【発明の詳細な説明】
【技術分野】
【０００１】
本発明は、生き物（例えば、人、馬等の人以外の動植物、魚類、微生物等）を活性化する生物活性化装置に関し、特に、人に関しては、糖尿病等の病気の治療を行う装置、リハビリテーション、美容、または、育毛促進等を行う装置に関する。
【背景技術】
【０００２】
従来、マイクロナノバブル発生機を利用した浴槽は、マイクロナノバブルの発生量が少ないと共に、マイクロナノバブルのサイズの範囲が狭くて、マイクロナノバブルが人体、特に血流、に及ぼす影響は、小さかった。
【０００３】
詳しくは、日本では糖尿病患者が多く、糖尿病患者においては、糖尿病を発端とする合併症が基になって腎臓人工透析へ発展したりする場合や、足の末端付近の血流悪化を原因とする壊疽による足の切断等が必要になることすらある。
【０００４】
ここで、人の足の血流が悪化した場合に効果がある改善方法としては、浴槽システムに、多数の旋回流方式のマイクロナノバブル発生機を設置し（現在知られているものとしては、１０台の旋回流方式のマイクロナノバブル発生機を設置し）、浴槽水内に大量のマイクロナノバブルを発生させる方法がある。
【０００５】
しかしながら、この方法は、多数のマイクロナノバブル発生機を運転するための電気代や、多数のマイクロナノバブル発生機のイニシャルコストに起因する浴槽の製造コストが高く、この方法を実用化することは、現実的ではない。
【０００６】
すなわち、浴槽装置において、経済的に、糖尿病の症状を回復できる装置は、見出されていない。
【０００７】
従来、ナノバブルを利用した方法および装置としては、特開２００４−１２１９６２号公報（特許文献１）に記載されているものがある。
【０００８】
ここで、この方法および装置は、ナノバブルが有する浮力の減少、表面積の増加、表面活性の増大、局所高圧場の生成、静電分極の実現による界面活性作用および殺菌作用等の特性を活用している。この方法および装置は、それらの作用を相互に関連させて、汚れ成分の吸着機能、物体表面の高速洗浄機能、および、殺菌機能を向上させるようにしている。そして、各種物体を、高機能、低環境負荷で洗浄し、汚濁水の浄化を行うようになっている。
【０００９】
また、従来、ナノ気泡を生成する方法としては、特開２００３−３３４５４８号公報（特許文献２）に記載されているものがある。
【００１０】
この方法は、液体中において、液体の一部を分解ガス化する工程、液体中で超音波を印加する工程、または、液体の一部を分解ガス化する工程及び超音波を印加する工程から構成されている。
【００１１】
また、従来、オゾンマイクロバブルを利用する廃液の処理装置としては、特開２００４−３２１９５９号公報（特許文献３）に記載されているものがある。
【００１２】
この処理装置は、オゾン発生装置より生成されたオゾンガスをマイクロナノバブル発生装置に供給すると共に、処理槽の下部から抜き出された廃液を加圧ポンプを介してマイクロナノバブル発生装置に供給している。また、生成されたオゾンマイクロバブルをガス吹き出しパイプの開口部より処理槽内の廃液中に通気している。
【００１３】
しかしながら、上記３つの技術を例とする既存のバブルを用いた技術を参照しても、経済的に、人体に特に好適な影響および効果を及ぼす装置を伺いしることができないという問題がある。
【００１４】
【特許文献１】特開２００４−１２１９６２号公報
【特許文献２】特開２００３−３３４５４８号公報
【特許文献３】特開２００４−３２１９５９号公報
【発明の開示】
【発明が解決しようとする課題】
【００１５】
そこで、本発明の課題は、経済的に、生物を活性化することができる生物活性化装置を提供することにある。
【００１６】
特に、本発明の課題は、ナノバブルのみを大量に発生させることができる生物活性化装置を提供することにある。また、幅広いサイズのマイクロナノバブルおよびナノバブルを発生させることができ、かつ、大量のマイクロナノバブルおよびナノバブルを発生させることができる生物活性化装置を提供することにある。また、本発明の課題は、特に、人体に特に好適な影響および効果を及ぼす生物活性化装置を提供することにある。
【課題を解決するための手段】
【００１７】
上記課題を解決するため、この発明の生物活性化装置は、
液体を収容する浴槽と、
上記浴槽内の液体の濁度を測定する濁度計と、
上記濁度計からの信号を受ける制御装置と、
上記制御装置からの信号に基づいて開度が制御されるバルブと、
上記バルブの気体流出側の開口に空気配管を介して接続されると共に、上記浴槽に第１液体案内部を介して接続され、かつ、上記第１液体案内部から吸入した液体にマイクロバブルまたはマイクロナノバブルを含有させると共に、上記マイクロバブルまたはマイクロナノバブルを含有させられた液体を吐出する気液混合循環ポンプ装置と、
上記気液混合循環ポンプ装置の液体吐出側の開口に第２液体案内部を介して接続されて、上記第２液体案内部から上記マイクロバブルまたはマイクロナノバブルを含有させられた液体を取り込んで、上記マイクロバブルまたはマイクロナノバブルを剪断して微細化する気体剪断部と、
上記気体剪断部の液体排出側の開口から上記マイクロナノバブルまたはナノバブルを含んだ液体を上記浴槽内に案内する第３液体案内部と
を備えることを特徴としている。
【００１８】
尚、上記気液混合循環ポンプとは、ポンプ本体が、マイクロナノバブルを発生させることができるポンプで、特殊なポンプである。従来、生き物が入浴する際、浴槽水として、ナノバブルを大量に含有する浴槽水を使用している装置は、存在していない。
【００１９】
ここで、生き物が入浴する際、浴槽水として、ナノバブルを大量に含有する浴槽水を使用すると、薬理効果が、非常に大きいことが判明した。詳しくは、糖尿病患者は、現在８００万人とも言われているが、糖尿病治療には、マイクロナノバブルよりもナノバブルの方が、血流量の増加が期待でき、有効であることが判明した。具体的には、ナノバブルが含有された浴槽水が収容された浴槽に入浴すると、人体への血流量が増加し、また、神経が刺激されて、インスリン様因子が増加し、糖尿病の治療に有効であることが、判明した。また、血糖降下薬の服用に合わせて、ナノバブルが含有された浴槽水が収容された浴槽に入浴を行うと、糖尿病治療に格段に効果があることが判明した。
【００２０】
本発明の生物活性化装置は、第１段目の段階で、マイクロバブルを、マイクロバブル発生部を有する気液混合循環ポンプで製造し、第２段目の段階で、気体せん断部で、必要に応じて、ナノバブルを、バルブの開度による空気量を正確に減少させて製造する。
【００２１】
上記制御装置からの信号に基づいて開度が制御されるバルブとして、電動ニードルバルブを用いると好ましい。尚、上記バルブとして、電動ニードルバルブ以外のスプール、ロータリー、電磁バルブ等を使用できることは、勿論である。
【００２２】
本発明によれば、上記バルブの開度を適切に調整して、気液混合循環ポンプ装置に適切な空気量を導入することによって、気体剪断部で、大量にナノバブルのみが含有している浴槽水を生成することができる。したがって、例えば、この生物活性化装置に入浴した糖尿病患者の血流量を増加させることができ、神経を刺激することができ、インスリン様因子を増加させることができ、糖尿病の病状を格段に改善させることができる。
【００２３】
また、本発明によれば、浴槽内の液体の濁度を測定する濁度計を有するから、マイクロナノバブルとナノブルの濁度の差を利用して、マイクロナノバブルとナノバブルを目的に応じて自由に製造することができる。詳しくは、マイクロバブルが必要な時は、バルブの空気量を適切に増加することによって、マイクロナノバブルを製造でき、ナノバブルが必要な時は、バルブの空気量を適切に減少させることによって、ナノバブルを製造できる。
【００２４】
また、本発明によれば、ナノバブルのサイズが、１μｍ以下の数十ｎｍ前後の直径を有しているナノバブルを多量に製造することができて、生物の活性化の効果を格段に向上させることができる。また、従来のように、複数のマイクナノバブル発生機を必要としないから、装置の製造コストを格段に小さくすることができる。
【００２５】
また、一実施形態では、上記気液混合循環ポンプ装置が吐出する上記マイクロバブルまたはマイクロナノバブルが含有させられた液体の吐出量は、上記制御装置からの信号に基づいて制御される。
【００２６】
上記実施形態によれば、所望のサイズのナノバブルを含んだ浴槽水を、所望の量生成できる。
【００２７】
また、一実施形態では、
上記制御装置は、回転数制御部を有し、
上記気液混合循環ポンプ装置は、モーターを有し、
上記モーターの回転数は、上記回転数制御部からの信号に基づいて制御される。
【００２８】
上記実施形態によれば、所望のサイズのナノバブルを含んだ浴槽水を、所望の量生成できる。詳しくは、回転数制御部を使用して、正確に気液混合循環ポンプの回転数を制御することができ、サイズにおいてより精度の高いマイクロナノバブルやナノバブルを製造することができる。また、気液混合循環ポンプへの空気量と、気液混合循環ポンプのモーターの回転数を制御することで、ナノバブルとマイクロナノバブルを、必要に応じて製造することができる。上記実施形態によれば、精度の高い空気量制御と、精度の高い気液混合循環ポンプの回転数制御を行うことができるから、所望のナノバブルやマイクロナノバブルを安定的かつ多量に製造することができるのである。
【００２９】
また、一実施形態では、上記浴槽は、上記気体剪断部からの上記マイクロナノバブルまたはナノバブルを含んだ液体を取り込む取込口と、上記浴槽が所定の位置に設置された状態で、上記取込口よりも鉛直方向の上方に位置する排出口とを有している。
【００３０】
上記実施形態によれば、マイクロナノバブルを浴槽内に導入できて、そのマイクロナノバブルで、人体の皮膚を洗浄することによって、発生したアカとしての有機物を上記マイクロナノバブルに付着させて浮上分離できる。そして、浴槽に給水して水位を上方等させることにより、上記排水口から発生したアカとしての有機物を表層水とともに排水できる。
【００３１】
したがって、浴槽水を浄化できて、高い清潔度を維持することができる。また、使用後の浴槽水から有機物を分離できるから、使用後の浴槽水を浄化できて、浴槽水を再利用することができる。また、見た目が美しくない、アカを、効率的に除去できる。
【００３２】
また、一実施形態では、
上記気体剪断部の液体排出側の開口に第４液体案内部を介して接続された第１減圧バルブと、
上記第１減圧バブルの液体流出側の開口に第５液体案内部を介して接続されたシャワー吐出部と
を備える。
【００３３】
上記実施形態によれば、シャワー吐出部から、シャワー水を吐出できる。また、吐出するシャワー水を最適な圧力にすることができる。減圧バルブが設置されていない場合は、浴槽内の浴槽水を、シャワーとして利用できないが、減圧バルブが設置されているので、ナノバブル含有シャワーとして利用ができ、シャワー水に、洗顔効果や、美容効果の効能を持たせることができるのである。
【００３４】
また、一実施形態では、
上記気体剪断部の液体排出側の開口に第６液体案内部を介して接続された第２減圧バルブと、
上記第２減圧バブルの液体流出側の開口に第７液体案内部を介して接続された洗濯機と
を備える。
【００３５】
上記実施形態によれば、洗濯機に、ナノバブル含有水を導入できる。したがって、ナノバブルは大きな洗浄作用を有するから、洗濯機で使用する洗剤の量を低減できて、環境に負荷をかけずに洗濯を行うことができる。また、洗濯機へ導入する浴槽水を最適な圧力にすることができる。減圧バルブが設置されていない場合は、浴槽水を、洗濯水として利用できないが、減圧バルブが設置されているので、浴槽水を、ナノバブル含有洗濯水として利用でき、洗濯物に対する洗浄効果を発揮できて、洗剤の使用量の削減や、洗濯物に対する洗浄能力を大きくできるのである。
【００３６】
また、一実施形態では、上記制御装置は、上記気体剪断部からマイクロナノバブルを含んだ液体を、上記浴槽に導入すると同時にまたは上記浴槽に導入した後に、上記浴槽内の液体の量を増大させて、上記排出口から液体を排出する制御を行う。
【００３７】
上記実施形態によれば、浴槽で発生するアカとしての有機物を、マイクロナノバブルで、浮上分離できて、その後、排出口から排出でき、浴槽内の水の水質を向上できる。また、使用した浴槽水をリサイクル使用することができる。すなわち、浴槽水の浄化を行うことができると共に、水のリサイクル使用による節水を行うことができる。
【００３８】
また、一実施形態では、上記気体剪断部は、旋回流型バブル発生機である。
【００３９】
上記実施形態によれば、上記気体剪断部は、旋回流型バブル発生機であるから、上記気体剪断部で、物理的、生物的、化学的な性状の異なるナノバブルを製造することができる。
【００４０】
本発明の生物活性化装置は、人体の血流量増加による糖尿病治療、美容、育毛促進に利用できる。また、本発明の生物活性化装置は、高齢化が進展して現代社会におけて、多くの老人がかかえている病状の治療に利用できる。また、本発明の生物活性化装置は、医療を目的とする装置に組み込まれることができる。そして、大型の病院等の医療設備で使用できる。
【００４１】
極最近、マイクロナノバブルが、糖尿病改善、しわに対する美容効果、毛髪の育毛促進等に効果があることが、発表され、マイクロナノバブルを、医療分野で利用することが注目されてきた。
【００４２】
ここで、講演等で発表されているのは、あくまでもマイクロバブルに関する内容で、ナノのレベルのナノバブルに関する内容は、皆無である。本発明者は、本発明の生物活性化装置を試作し、ナノバブルを発生させて、糖尿病の患者で、効果を試験した。その結果、ナノバブルが、糖尿病において、血糖値の改善等で、マイクロナノバブルよりも格段に大きな効果をもたらすことを確かめた。
【００４３】
本発明の生物活性化装置を有する各種装置は、マイクロナノバブルで効果が確認されている次の症状、すなわち、血流量の増大、血糖値の低下、糖尿病改善、しわに対する美容効果、毛髪の育毛促進、中枢神経疾患の治療、心血管系疾患の治療、代謝異常疾患の治療、消化器疾患の治療、運動器疾患の治療、および、皮膚科領域疾患の治療において、格段に優れた効果を発揮するものと考えられる。
【００４４】
本発明の糖尿病治療装置は、本発明の生物活性化装置を備えることを特徴としている。
【００４５】
糖尿病治療装置を、糖尿病の治療を行う装置として定義する。
【００４６】
マイクロナノバブルによる、血流量の増加は、人体のみならず、牡蠣などの測定データからも証明されている。専門分野の医者にとって、人体の血流量増加が、血管の病気である糖尿病治療に有効であることは、自明なことである。
【００４７】
本発明によれは、本発明の生物活性化装置を有しているから、人体に血流量の増加を、顕著に引き起こすことができて、糖尿病の症状を大きく改善させることができる。
【００４８】
尚、糖尿病の治療において、本発明の糖尿病治療装置による治療と、スルホニル尿素剤やビグアナイト剤等の血糖降下薬の服用とを、併用して行うと、非常に効果的である。本発明の糖尿病治療装置による治療と、血糖降下薬の服用による相乗効果は、非常に大きなものであり、上記相乗効果によって、糖尿病の症状を短期間で改善することができる。
【００４９】
また、本発明の美容促進装置は、本発明の生物活性化装置を備えることを特徴としている。
【００５０】
美容促進装置を、美容を促進する装置として定義する。
【００５１】
上記美容促進装置によれば、効果的に美容を促進することができる。
【００５２】
また、本発明の育毛促進装置は、本発明の生物活性化装置を備えることを特徴としている。
【００５３】
育毛促進装置を、育毛を促進する装置として定義する。
【００５４】
上記育毛促進装置によれば、効果的に育毛を促進できる。
【００５５】
また、本発明の中枢神経疾患治療装置は、本発明の生物活性化装置を備えることを特徴としている。
【００５６】
中枢神経疾患治療装置を、中枢神経疾患を治療する装置として定義する。
【００５７】
中枢神経疾患には、アルツハイマー病や認知症等が含まれる。
【００５８】
上記中枢神経疾患治療装置によれば、中枢神経疾患の症状を改善することができる。
【００５９】
また、本発明の心血管系疾患治療装置は、本発明の生物活性化装置を備えることを特徴としている。
【００６０】
心血管系疾患治療装置を、心血管系疾患治を治療する装置として定義する。
【００６１】
心血管系疾患には、慢性心不全、高血圧、脳梗塞、および、心筋梗塞等が含まれる。
【００６２】
上記心血管系疾患治療装置によれば、心血管系疾患の症状を改善することができる。
【００６３】
また、本発明の代謝異常疾患治療装置は、本発明の生物活性化装置を備えることを特徴としている。
【００６４】
代謝異常疾患治療装置を、代謝異常疾患を治療する装置として定義する。
【００６５】
代謝異常疾患には、肥満、および、高脂血症等が含まれる。
【００６６】
上記代謝異常疾患治療装置によれば、代謝異常疾患の症状を改善することができる。
【００６７】
また、本発明の消化器疾患治療装置は、本発明の生物活性化装置を備えることを特徴としている。
【００６８】
消化器疾患治療装置を、消化器疾患を治療する装置として定義する。
【００６９】
消化器疾患には、胃潰瘍、および、肝機能低下症等が含まれる。
【００７０】
上記消化器疾患治療装置によれば、消化器疾患の症状を改善することができる。
【００７１】
また、本発明の運動器疾患治療装置は、本発明の生物活性化装置を備えることを特徴としている。
【００７２】
運動器疾患治療装置を、運動器疾患を治療する装置として定義する。
【００７３】
運動器疾患には、関節リウマチ、関節炎等が含まれる。
【００７４】
上記運動器疾患治療装置によれば、運動器疾患の症状を改善することができる。
【００７５】
また、本発明の皮膚科領域疾患治療装置は、本発明の生物活性化装置を備えることを特徴としている。
【００７６】
皮膚科領域疾患治療装置を、皮膚科領域疾患を治療する装置として定義する。
【００７７】
皮膚科領域疾患には、皮膚老化、脱毛等が含まれる。
【００７８】
上記皮膚科領域疾患治療装置によれば、皮膚科領域疾患の症状を改善することができる。
【発明の効果】
【００７９】
本発明によれば、バルブの開度を適切に調整して、気液混合循環ポンプ装置に適切な空気量を導入することによって、気体剪断部で、大量にナノバブルが含有している浴槽水を生成することができる。したがって、例えば、この生物活性化装置に入浴した糖尿病患者の血流量を増加させることができ、神経を刺激することができ、インスリン様因子を増加させることができ、糖尿病の病状を格段に改善させることができる。
【００８０】
また、本発明によれば、浴槽内の液体の濁度を測定する濁度計を有するから、マイクロナノバブルとナノブルの濁度の差を利用して、マイクロナノバブルとナノバブルを目的に応じて自由に製造することができる。詳しくは、マイクロバブルが必要な時は、バルブの空気量を適切に増加することによって、マイクロナノバブルを製造でき、ナノバブルが必要な時は、バルブの空気量を適切に減少させることによって、ナノバブルを製造できる。
【００８１】
また、本発明によれば、ナノバブルのサイズが、１μｍ以下の数十ｎｍ前後の直径を有しているナノバブルを多量に製造することができて、生物の活性化の効果を格段に向上させることができる。また、従来のように、複数のマイクナノバブル発生機を必要としないから、装置の製造コストを格段に小さくすることができる。
【発明を実施するための最良の形態】
【００８２】
以下、本発明を図示の形態により詳細に説明する。
【００８３】
（第１実施形態）
図１は、本発明の第１実施形態の生物活性化装置である浴槽装置３９を模式的に示す図である。
【００８４】
この浴槽装置３９は、ナノバブル発生部２と、浴槽部３とを備えている。上記浴槽部３は、浴槽１を有し、この浴槽１は、合成樹脂等の材料で製造されている。
【００８５】
上記ナノバブル発生部２は、濁度調節計２１、濁度調節計２１からの信号を、信号線１８を通じて受信する制御装置としてのシーケンサー２０、シーケンサー２０からの信号を、信号線１９を通じて受信するバルブの一例としての電動ニードルバルブ１７、シーケンサー２０からの信号を、信号線１８を通じて受信する気液混合循環ポンプ装置４、および、気体せん断部８を備える。上記気液混合循環ポンプ装置４は、マイクロバブル発生部７を有し、気体せん断部８は、マイクロバブル発生部７に水配管９で接続されている。
【００８６】
上記電動ニードルバルブ１７は、マイクロバブル発生部７に空気配管１６を介して接続している。上記濁度調節計２１は、浴槽１の内部に配置されている濁度計２２からの信号を信号線１８を介して受信している。
【００８７】
後に詳述するように、浴槽装置３９は、マイクロナノバブル発生部７への電動ニードルバルブ１７の開度による供給空気の量により、気体せん断部８からマイクロナノバブルを発生させる場合と、ナノバブルのみを、発生する場合とを適切に選択するようになっている。
【００８８】
ここで、バブルについての説明を行う。
【００８９】
通常のバブル（気泡）は、水の中を上昇して、ついには表面でパンとはじけて消滅するバブルである。
【００９０】
マイクロバブルは、直径が５０ミクロン（μｍ）以下の微細気泡で、水中で縮小していき、ついには消滅（完全溶解）してしまうバブルである。マイクロバブルは、その発生時において、１０〜数十μｍの気泡径を有する気泡であり、発生後に収縮運動により下記に説明するマイクロナノバブルに変化する。
【００９１】
ナノバブルは、数百ｎｍ以下の直径を有する気泡であり、マイクロバブルよりさらに小さいバブル（直径は、特に、１ミクロン以下の１００〜２００ｎｍ）であり、いつまでも水の中に存在することが可能なバブルである。ナノバブルのみを含有している水は、視覚において透明である。
【００９２】
マイクロナノバブルは、１０μｍから数百ｎｍ前後の直径を有する気泡であり、マイクロバブルとナノバブルとが混合したバブルである。マイクロナノバブルを含有している水は、牛乳の様に白濁している。白濁している超微細気泡としてのマイクロナノバブルは、物質に付着して、物質を浮上させる性質を有している。
【００９３】
濁度計２２が、濁度１０度以上をさしている場合には、マイクロナノバブルが発生している一方、濁度計２２が、濁度１度以下をさしている場合、ナノバブルが発生していることが判明している。
【００９４】
上記濁度計２２は、浴槽１内の泡が白濁しているか、または、透明となっているかを、数値計測する機器である。濁度計２２として、具体的には、株式会社佐藤商事のデジタル濁度センサーＴＣＲ−３０等が利用できる。佐藤商事の濁度計は、測定範囲が０度から５０度まで測定できる。尚、佐藤商事の濁度計は、濁度計２２の本体にデジタルで濁度を表示する機能を有していて、表示された数値により、容易に浴槽１におけるマイクロナノバブルおよびナノバブルの発生状態を確認できる。佐藤商事の濁度計は、上水試験法、工業用水試験法や厚生労働省水質基準に関する省令に定められた検査方法に準拠した透過光測定法を採用していて、信頼性で高い評価を受けている。
【００９５】
濁度計２２の信号は、濁度調節計２１に伝送されて、さらに、シーケンサー２０に伝送される。濁度調節計２１のメーカーとしては、例えば、オプテックス株式会社のＳＣ−ＴＳ型等がある。ＳＣ−ＴＳ型は、濁度表示は当然の事として、信号出力応答時間や、警報レベル等の設定が可能である。濁度調節計２１を、浴槽装置３９に組み込むことにより、浴槽装置３９の設定の変更の自由度を大きくすることができる。
【００９６】
どの様な条件でもマイクロナノバブルが発生していると、浴槽部３の浴槽水の濁度は１０度以上となる一方、どの様な条件でもナノバブルが発生していると、浴槽部３の浴槽水の濁度は１度以下となることは、実験により確認されている。ここで、ナノバブルが発生する条件の方が、マイクロナノバブルが発生する条件より、空気量すなわち、電動ニードルバルブ１７への空気量が少なくなる。
【００９７】
例えば、新規の浴槽水の場合、電動ニードルバルブ１７への供給空気量が、１.２リットル／分以上の場合は、マイクロナノバブルが発生する一方、０．７リットル／分以下の場合は、ナノバブルが発生することになる。
【００９８】
以下の表１は、第１実施形態の浴槽装置３９における、空気の量と、バブルの粒子径との関係を示す一実験例である。
【００９９】
［表１］
2008173370.tif 000003
【０１００】
表１に示すように、空気量が０.８Ｌ（リットル）／分以上でマイクロナノバブル、０．７Ｌ／分以下でナノバブルが発生していることがわかる。このように、導入する空気の量を、適宜調節することにより、所望のバブルを形成することができる。
【０１０１】
尚、新規のお湯（水）を給湯した場合と、浴槽水を再利用して使用する場合では、空気量の条件が異なることは、勿論である。浴槽装置３９では、浴槽１内に新規の浴槽水のみが収容されるとは限らないから、新規の浴槽水の基準で、空気量を判断することができない。このことから、上述のように、所望のバブルを発生させるために、濁度計２２のデータで電動ニードルバルブ１７への空気量を決定するようにしているのである。
【０１０２】
尚、ナノバブルおよびマイクロナノバブルの発生は、例えば、タイマーによる気液混合循環ポンプ装置４の運転時間の制御や、シーケンサー２０で、気液混合循環ポンプ装置４の自動運転を制御することによっても調整できる。また、気液混合循環ポンプ装置４のモーターの回転数によっても、ナノバブルの発生状態を、調整することができる。
【０１０３】
この実施形態では、濁度計２２、濁度調節計２１、シーケンサー２０、空気量調整用の電動ニードルバルブ１７、気液混合循環ポンプ装置４、マイクロバブル発生部７、気体せん断部８で、ナノバブル発生部２を構成し、ナノバブル発生部２で、ナノバブルを発生させるようになっている。
【０１０４】
詳しくは、マイクロバブル発生部７で発生したマイクロバブルを、気体せん断部８で流体運動としてせん断して、ナノバブルを発生させるようになっている。この実施形態では、気体せん断部８は、旋回流型バブル発生機を有し、ナノバブルを、気液混合循環ポンプ装置４と、気体せん断部８とで、２段階のステップを経て発生させるようになっている。気体せん断部８の旋回流型バブル発生機は、水と空気を毎秒３００回転から毎秒６００回転の回転速度で、超高速で旋回させるようになっている。
【０１０５】
電動ニードルバルブ１７を開として、気液混合循環ポンプ装置４の吸い込み側から空気を自給する。マイクロバブル発生部７は、液体と、気体としての空気を、混合、撹拌、および、昇圧させて、マイクロバブルを生成する。そして、生成したマイクロバブルを水配管９を通じて気体せん断部８に導入し、流体運動としてせん断することによって、マイクロバブルからナノバブルを生成する。このような、ステップで、ナノバブルを発生させるようにすると、ナノバブルを、多量かつに効率的に発生させることができる。
【０１０６】
尚、従来のバブル発生機は、旋回流型バブル発生機にみからなり、大部分のマイクロバブルと、少しのナノバブルを、発生させるようになっていた。ここで、従来、バブルの発生は、旋回流型バブル発生機のみで行っていたから、ナノバブルのみを、重点的かつ多量に発生させることができなかった。
【０１０７】
ここで、旋回流型マイクロナノバブル発生機について説明する。旋回流型マイクロバブル発生機は、まず、発生機内部で、液体および気体の混相旋回流を発生させ、発生機中心部に高速旋回させる気体空洞部を形成する。次に、この気体空洞部を圧力で竜巻状に細くして、より高速で旋回する回転せん断流を発生させる。そして、この空洞部に気体を自給し、さらに、せん断粉砕しながら混相流を回転させる。切断・粉砕は、発生機出口付近における内外の気液二相流体の旋回速度差により、可能になる。この場合の、回転速度は、毎秒、数百回転である。これが、旋回流型バブル発生機のマイクロバブルに関する発生原理である。
【０１０８】
話を本発明に戻すと、マイクロバブル発生部７は、流体力学的に圧力を制御することで、気体を吸入し、高速流体運動させて、負圧部を形成し、マイクロバブルを発生させる。より解かりやすく簡単に説明すると、マイクロバブル発生部７は、水と空気を効果的に自給混合溶解し、圧送することにより、マイクロバブルを含んだ白濁水を製造する。
【０１０９】
上記気体せん断部８には、上記高速流体運動させて、負圧部が形成されることにより形成された、マイクロバブルが、水配管９を通じて導入されるようになっている。上記気体せん断部８は、流体運動であるせん断を行うことによって、例えば、マイクロバブルからナノバブルを発生させるようになっている。
【０１１０】
気体せん断部８から発生するバブルが、濁度１０度以上の白濁したバブルである場合、そのバブルが、マイクロナノバブルであり、気体せん断部８から発生するバブルが、濁度１度以下の透明なバブルである場合、そのバブルがナノバブルであることは、上述のとおりである。尚、所望のマイクロバブルやナノバブルが発生していることは、電気抵抗法に基づく精密密粉度分布測定に基づいて確認でき、また、この方法で確認している。
【０１１１】
浴槽装置３９では、最初、濁度計２２の濁度が１０度以上、好ましくは、２０度以上となる様に、濁度調節計２１、シーケンサー２０、空気量を調節する電動ニードルバルブ１７、および、気液混合循環ポンプ装置４が、自動制御される。
【０１１２】
マイクロナノバブルの大部分は、肉眼でも確認できる。上記白濁したマイクロナノバブルは、水中で有機物に付着して、その付着した有機物を浮上させる性質を有し、汚れとしてのアカ等の有機物を浴槽１から排出するのに役立つ。
【０１１３】
具体的には、有機物の排出を次のように行う。すなわち、白濁しているマイクロナノバブルを、浴槽水に、濁度が１０度以上の条件を保って２分間以上継続して発生し、白濁しているマイクロナノバブルに、汚れとしてのアカ等の有機物に付着させて、その付着した有機物を浮上させる。次に、シーケンサー２０の信号により、電動バルブ３１を開として、浴槽１に給湯して浴槽部３の水位を上昇させる。このとき、上記浮上した有機物は、浴槽部３の水位の上昇とともに、上昇する。続いて、排水するための電動バルブ３０を開として、浮上した汚れとしてのアカ等の有機物を含んだ表層水を排出する。その後、一定時間後、シーケンサー２０の信号により、電動バルブ３１と電動バルブ３０を閉とする。このようにして、白濁しているマイクロナノバブルを用いて、有機物を排出する。
【０１１４】
この排出方法は、マイクロナノバブルの浮上の性質を利用しているから、浴槽１を所定の位置に設置した状態で、液体を浴槽１に取り込む取込口としての吐出口１０が、表層水の排出口よりも鉛直方向下方にあることが必須条件である。普通、浴槽では、排出口が底にあるが、この実施形態では、排出口は、上方にあるのである。尚、詳述しないが、上記一連の制御を、マイクロコンピュータ等で構成される排水制御部で、入浴者が、望んだときに、ボタンの押圧等によって自動的に行うようにすれば好ましいことは、言うまでもない（この場合、シーケンサー２０と、上記排水制御部とが、制御装置を構成することは、いうまでもない）。
【０１１５】
浴槽１は、その側面に上記吐出口１０および吸い込み口６を有し、吐出口１０から、マイクロナノバブルや、ナノバブルを含んだ浴槽水が、浴槽１内に吐出するようになっている。一方、吸い込み口６には、浴槽水が、気液混合循環ポンプ装置４によって、吸い込まれるようになっており、浴槽水が、吸い込み口６に吸い込まれている際、浴槽１内の浴槽水に水流３７が形成するようになっている。上記浴槽部３の下部には、ドレーンバルブ１３が設置されている。このドレーンバブルは、浴槽水を完全に入れ替える時に使用する。
【０１１６】
ナノバブル発生部２の気液混合循環ポンプ装置４、マイクロバブル発生部７、気体せん断部８、および、電動ニードルバルブ１７は、市販されているものならば、如何なるメーカーのものを使用しても良い。例えば、これらの機器として、協和機設株式会社の商品を使用することができる。上記機器は、目的に従って適切に選定すれば良い。
【０１１７】
この浴槽装置３９は、例えば、以下の手順で使用可能な状態にされる。
【０１１８】
先ず、浴槽１へ新しいお湯を供給するために、または、一度使用された浴槽水を再利用するために、不足分（必要な量）の浴槽水を、電動バルブ３１を開にすることによって、浴槽１に補給する。浴槽１に充填されている浴槽水には、この時点ではアカ等の老廃物（有機物）が含まれる。
【０１１９】
次に、浴槽１に充填されている浴槽１内にマイクロナノバブルを含んだ水を導入して、アカ等の有機物を、電動バルブ３０を開として、電動バルブ３０から排出する。新規給湯の場合も同様にマイクロナノバブルを含んだ水を導入して、マイクロナノバブルで、浴槽１の洗浄を行う。マイクロナノバブルは、濁度が１０度以上の条件で、２分間以上継続発生する。このとき、濁度計２２、濁度調節計２１、シーケンサー２０、空気量調整用の電動ニードルバルブ１７、気液混合循環ポンプ装置４、マイクロバブル発生部７、および、気体せん断部８を用いて、マイクロナノバブルを、発生させることは、上述の通りである。
【０１２０】
次に、浴槽１にナノバブルを発生させて、入浴する環境を整える。これは、ナノバブルを、濁度が１度以下の条件で、１０分間以上継続して発生させることにより行う。このとき、濁度計２２、濁度調節計２１、シーケンサー２０、空気量調整用の電動ニードルバルブ１７、気液混合循環ポンプ装置４、マイクロバブル発生部７、および、気体せん断部８を用いて、ナノバブルを発生させる。空気量調整用の電動ニードルバルブ１７の空気量を減少させていき、濁度計２２の濁度が、時間の経過とともに、１度以下となった状態で、上記ナノバブルの発生の運転を、１０分間継続して行う。このようにすれば、ナノバブルを、人体に血流量増加作用がでる大量に発生させることができる。
【０１２１】
尚、参照番号５は、吸い込み配管を示し、参照番号９ａ、９ｂ、９ｃは、水配管を示している。吸い込み配管５は、浴槽１内の液体を気液混合循環ポンプ装置４に案内しており、吸い込み配管５は、第１液体案内部を構成している。また、水配管９ａは、気液混合循環ポンプ装置４の液体吐出側の開口と、気体剪断部８とを、接続しており、第２液体案内部を構成している。
【０１２２】
また、水配管９ｂは、気体剪断部８の液体排出側の開口と、バブル１１の液体流入側の開口とを接続する一方、水配管９ｃは、バブル１１の液体流出側の開口と、浴槽１の吐出口１０とを接続している。水配管９ｂ、バルブ１１および水配管９ｃは、第３液体案内部を構成している。
【０１２３】
（第２実施形態）
図２は、本発明の第２実施形態の生物活性化装置である浴槽装置１３９を模式的に示す図である。
【０１２４】
第２実施形態の浴槽装置１３９は、給湯用のバルブが、電動式の自動弁ではなく、単に人が操作するバルブ３３である点と、浴槽１の浴槽水を排水するバルブが、電動式の自動弁ではなく、単に人が操作するバルブ３２である点が、第１実施形態の浴槽装置３９と異なる。
【０１２５】
第２実施形態の浴槽装置１３９では、第１実施形態の浴槽装置３９の構成部と同一構成部には同一参照番号を付して説明を省略することにする。また、第２実施形態の浴槽装置１３９では、第１実施形態の浴槽装置３９と共通の作用効果については説明を省略することにし、第１実施形態の浴槽装置３９と異なる構成および作用効果についてのみ説明を行うことにする。
【０１２６】
第２実施形態は、第１実施形態における電動バルブ３１が、単にバルブ３３に置き換わっており、又電動バルブ３０が、単にバルブ３２に置き換わっている。
【０１２７】
第２実施形態の浴槽装置１３９によれば、給湯用のバルブ３３が、単に人が操作するバルブであると共に、浴槽１の浴槽水を排水するバルブ３２が、単に人が操作するバルブであるから、故障のトラブルや誤動作のトラブルが、発生することがない。また、人が、給湯や排水を、行わなければならないから、面倒であるという側面を有するが、人がバルブ開閉の作業を行うから、浴槽１における汚れとしてのアカの状態を確認でき、かつ、浴槽水の全量の入れ替えのタイミングを判断することができる。
【０１２８】
（第３実施形態）
図３は、本発明の第３実施形態の生物活性化装置である浴槽装置２３９を模式的に示す図である。
【０１２９】
第３実施形態の浴槽装置２３９は、シーケンサー２０の信号を、回転数制御部である回転数制御器３８で受けて、この回転数制御器３８で、気液混合循環ポンプ装置４の電動機（モーター）の回転数を制御して、気体気液混合循環ポンプ装置４と水配管９で接続している気体せん断部８でのナノバブル発生状態を制御する点が、第１実施形態の浴槽装置３９と異なる。
【０１３０】
第３実施形態の浴槽装置２３９では、第１実施形態の浴槽装置３９の構成部と同一構成部には同一参照番号を付して説明を省略することにする。また、第３実施形態の浴槽装置２３９では、第１実施形態の浴槽装置３９と共通の作用効果については説明を省略することにし、第１実施形態の浴槽装置３９と異なる構成および作用効果についてのみ説明を行うことにする。
【０１３１】
第３実施形態では、上述のように、シーケンサー２０からの信号を受けた回転数制御器３８が、気液混合循環ポンプ装置４のモーターの回転数を制御するようになっている。第３実施形態において、上記シーケンサー２０および回転数制御器３８は、制御装置を構成している。
【０１３２】
第３実施形態の浴槽装置２３９によれば、気液混合循環ポンプ装置４のモーターの回転数を正確に制御できるから、電動ニードルバルブ１７からマイクロバブル発生部７へ正確な量の空気を送り込むことにより、ナノバブルのサイズ等、ナノバブルの発生状態を正確に制御することができる。
【０１３３】
ナノバブルは、人に及ぼす効果が大きいが、ナノバブルといえども、浴槽１に入浴した場合の効果には、ナノのサイズの範囲において、差があることが判明している。第３実施形態によれば、浴槽水の条件に基づいて、電動ニードルバルブ１７からマイクロバブル発生部７へ正確な量の空気を送り込むことができ、かつ、気液混合循環ポンプ装置４のモーターの回転数を、所望の回転数に正確に制御することができる。したがって、所望のサイズのナノバブルを目的の大きさで製造することができるのである。
【０１３４】
（第４実施形態）
図４は、本発明の第４実施形態の生物活性化装置である浴槽装置３３９を模式的に示す図である。
【０１３５】
第４実施形態の浴槽装置３３９は、電動減圧バルブ３４ａおよびこの電動減圧バルブ３４ａにホース２５ａを介してつながるシャワー吐出部２３を新たに追加した点や、電動減圧バルブ３４ｂおよびこの電動減圧バルブ３４ｂに配管２５ｂを介してつながる洗濯機５３を追加した点等が、第１実施形態の浴槽装置３９と異なる。
【０１３６】
第４実施形態の浴槽装置３３９では、第１実施形態の浴槽装置３９の構成部と同一構成部には同一参照番号を付して説明を省略することにする。また、第４実施形態の浴槽装置３３９では、第１実施形態の浴槽装置３９と共通の作用効果については説明を省略することにし、第１実施形態の浴槽装置３９と異なる構成および作用効果についてのみ説明を行うことにする。
【０１３７】
気液混合循環ポンプ装置４は、高圧ポンプであるから、気液混合循環ポンプ装置４によって、シャワー用水を作製する場合は、水圧の減圧が必要となる。第４実施形態では、気液混合循環ポンプ装置４と、シャワー吐出部２３との間に、電動減圧バルブ３４ａが接続されているから、気液混合循環ポンプ装置４が、作動している場合において、電動減圧バルブ３４ａで、電動減圧バルブ３４ａのシャワー口側の水圧を、シャワーで使用可能な圧力まで減圧することができる。したがって、シャワー吐出部２３で、人体に適切な水圧を有するナノバブル水を、吐出することができる。このことから、ナノバブルを含んだ浴槽水を、シャワー用水として使用することができる。
【０１３８】
第４実施形態によれば、ナノバブルを含んだ水またはナノバブルを含んだお湯として定義するナノバブル水を、シャワー用水として使用できるから、洗顔、人体および頭髪を洗浄する能力を格段に大きくすることができる。人体の洗浄では、ナノサイズの大きさにもことなるが、数分間の入浴で、肌をすべすべの状態にすることができる。
【０１３９】
第４実施形態では、図４に示すように、気体せん断部８の流体排出側の開口に接続されている配管９ｂは、途中で二股に分かれ、配管９ｂの気体せん断部８側とは反対側の一方の端が、バルブ１１に接続されている一方、配管９ｂの気体せん断部８側とは反対側の他方の端は、バルブ１２に接続されている。また、バルブ１２の液体流出側の開口は、配管４８に接続されている、配管４８が接続されている、配管４８は、途中で二股に分かれ、配管４８のバルブ１２側とは反対側の一方の端が、電動減圧バルブ３４ａに接続されている一方、配管４８の側とは反対側の他方の端は、電動減圧バルブ３４ａに接続されている。
【０１４０】
電動減圧バルブ３４ａの液体流出側の開口は、ホース２５ａを介してシャワー吐出部２３に接続されている一方、電動減圧バルブ３４ｂの液体流出側の開口は、配管２５ｂを介して洗濯機５３に接続されている。
【０１４１】
配管９ｂ、バルブ１２および配管４８は、第４液体案内部を構成する同時に、第６液体案内部を構成している。また、ホース２５ａは、第５液体案内部を構成し、配管２５ｂは、第７液体案内部を構成している。
【０１４２】
気液混合循環ポンプ装置４、配管４８、電動減圧バルブ３４ｂ、配管２５ｂの順にナノバブル水を流動させて、ナノバブル水を、洗濯機５３に導入することができる。
【０１４３】
上記洗濯機５３は、洗濯機本体２７、洗濯機蓋２６、回転翼２８およびモーター２９を有する。モーター２９は、回転翼２８に回転動力を付与する。回転翼２８の回転により、ナノバブル水を攪拌して、洗濯水流を起こす。
【０１４４】
第４実施形態では、洗濯機５３に、ナノバブル水を選択導入できる。ナノバブル水は、洗浄能力に優れるから、ナノバブル水を使用して洗濯を行う場合、洗剤の使用量を削減することができる。第４実施形態では、洗濯機５３に、マイクロナノバブルを含有するマイクロナノバブル水ではなく、マイクロバブルを含まずにナノバブルのみを含んだナノバブル水が導入されるから、格段に洗剤の使用量を削減できるのである。
【０１４５】
また、第４実施形態によれば、ナノバブルを含有する浴槽水を、浴槽で利用後に、洗濯機でリサイクル利用することもできる。尚、マイクロナノバブルを生成して、適宜、浴槽水の浄化を行うことができて、水質を向上でき、浴槽水を、リサイクル使用できることは、上記実施形態と同じである。
【０１４６】
（第５実施形態）
図５は、本発明の第５実施形態の生物活性化装置である浴槽装置４３９を模式的に示す図である。
【０１４７】
第５実施形態の浴槽装置４３９は、バルブ１１を電動バルブ３６に、また、バルブ１２を電動バルブ３５に置き換えている点が、第４実施形態の浴槽装置３３９と異なる。
【０１４８】
第５実施形態の浴槽装置４３９では、第４実施形態の浴槽装置３３９の構成部と同一構成部には同一参照番号を付して説明を省略することにする。また、第５実施形態の浴槽装置４３９では、第４実施形態の浴槽装置３３９と共通の作用効果については説明を省略することにし、第４実施形態の浴槽装置３３９と異なる構成および作用効果についてのみ説明を行うことにする。
【０１４９】
第５実施形態では、第４実施形態におけるバルブ１１を電動バルブ３６に、また、バルブ１２を電動バルブ３５に置き換えている。本浴槽装置４３９で、使用しているバルブ３５,３６は、電動方式であるから、入浴後の洗濯機５３への浴槽水の移動を全て自動で行うことができる。
【０１５０】
例えば、浴槽１の浴槽水がリサイクルされた浴槽水である場合、シーケンサー２０を含むと共に、図示しない部分を有する制御装置（マイクロコンピュータ等で構成）によって、下記の制御を行うようにする。
【０１５１】
すなわち、シーケンサー２０による電動バルブ３１の開と、電動バルブ３０の開の制御を行って、給湯を行った後、シーケンサー２０による濁度計２２への通電、濁度調節計２１への通電、電動バルブ３４ａ,３４ｂの閉、電動バルブ３６の開、電動バルブ３５の閉、電動ニードルバルブ１７の開、および、気液混合循環ポンプ装置４の運転の制御を行って、マイクロナノバブル発生を行う。そして、浴槽水のアカに代表される有機物のマイクロナノバブル付着による浮上と、電動バルブ３０の開による浴槽１からの表層水の排水を行う。
【０１５２】
次に、シーケンサー２０による濁度計２２への通電、濁度調節計２１への通電、電動バルブ３６の開、電動バルブ３５の閉、電動バルブ３４ａ,３４ｂの閉、電動ニードルバルブ１７の正確な開度の調整によるナノバブルの発生、気液混合循環ポンプ装置４の運転の制御を行って、ナノバブル含有水を浴槽１に導入する。
【０１５３】
次に、人の入浴（人体の血流量の増加）終了後、シーケンサー２０による、洗濯機５３行きの電動バルブ３４ｂの開と、シャワー行き電動バルブ３４ａの閉、電動バルブ３５の開、電動バルブ３６の閉、電動ニードルバルブ１７の正確な開度の調整によるナノバブルの発生、気液混合循環ポンプ装置４の運転の制御を行って、ナノバブル発生と洗濯機５３へのナノバブル浴槽水の移動の制御を行う。このようにして、洗濯機５３で、洗濯機本体２７に投入されている衣類等の洗濯を行う。
【０１５４】
このように、シーケンサー２０を用いて、入浴環境の形成と、洗濯とを自動的に行うことができる。尚、使用目的によって、シーケンス２０の設定を自由に変更できることは、勿論である。
【０１５５】
（第６実施形態）
図６は、本発明の第６実施形態の生物活性化装置である浴槽装置５３９を模式的に示す図である。
【０１５６】
第６実施形態の浴槽装置５３９は、電動バルブ３０が自動ではない単なるバルブ３２に、また、電動バルブ３１が自動ではない単なるバルブ３３に置き換えられている点が、第４実施形態の浴槽装置３３９と異なる。
【０１５７】
第６実施形態の浴槽装置５３９では、第４実施形態の浴槽装置３３９の構成部と同一構成部には同一参照番号を付して説明を省略することにする。また、第６実施形態の浴槽装置５３９では、第４実施形態の浴槽装置３３９と共通の作用効果については説明を省略することにし、第４実施形態の浴槽装置３３９と異なる構成および作用効果についてのみ説明を行うことにする。
【０１５８】
第６実施形態では、第４実施形態における電動バルブ３０が自動ではない単なるバルブ３２に、また、電動バルブ３１が自動ではない単なるバルブ３３に置き換えられているから、人の作業が増加して、作業性が低下する一方、電動バルブに関する電気的なトラブルがなくなり、システムの機械的な信頼性や電気的な信頼性を増大させることができる。
【０１５９】
本発明者は、第１実施形態の浴槽装置３９に基づいて、実験（試験）を行い、多量のナノバブルの効果を確認した。特に、血糖降下剤の服用と、ナノバブル含有水が収容されている浴槽への入浴との組み合わせが、血糖降下剤の服用と、マイクロバブル含有水が収容されている浴槽への入浴の組み合わせよりも、糖尿病における血糖値の改善の度合が格段に大きいことを、糖尿病の患者で確認した。
【０１６０】
具体的には、第１実施形態の浴槽装置３９において、ナノバブル浴槽部３の容量を０.２ｍ３とし、気液混合循環ポンプ装置４の電動機（モーター）の仕様を、２.２ｋｗにし、マイクロナノバブルとナノバブルとを、濁度計２２、濁度調節計２１、シーケンサー２０、電動ニードルバルブ１７、気液混合循環ポンプ装置４（気液混合循環ポンプ装置４に付属しているマイクロバブル発生部７）、マイクロバブル発生部７に水配管９で接続している気体せん断部８の組み合わせで、適宜製造した。尚、マイクロナノバブルとナノバブルの発生の確認は、専門の測定メーカーに依頼して行った。
【０１６１】
そして、糖尿病の一患者において、医療施設において入浴前後の血糖値の測定を行った。その結果、空腹時及び食後の血糖値を、ナノバブル浴槽に入浴する前の対策前と比較すると、日によって異なるものの、血糖値が１０％から３０％まで、低下することを確認した。また、血流量の増加や、ブドウ糖負荷試験によるインスリンの時間ごとの分泌データの改善等の効果を確認した。また、この急激な血糖値の低下や、血流量の増加や、インスリンの時間ごとの分泌データの改善は、単なる水の浴槽水、および、マイクロナノバブル含有浴槽水では、実現できないことも確認した。
【０１６２】
また、本発明者は、浴槽１に池の水を収容して、第１実施形態の浴槽装置３９の浄化能力を調査した。その結果、第１実施形態の浴槽装置３９は、マイクロバブルを使用した従来の浄化装置と比較して、池の水を格段に早く浄化できることを確認した。
【０１６３】
本発明の生物活性化装置は、人体の血流量増加による糖尿病治療、美容、育毛促進に利用できる。また、本発明の生物活性化装置は、高齢化が進展して現代社会におけて、多くの老人がかかえている病状の治療に利用できる。また、本発明の生物活性化装置は、医療を目的とする装置に組み込まれることができる。そして、大型の病院等の医療設備で使用できる。
【０１６４】
極最近、マイクロナノバブルが、糖尿病改善、しわに対する美容効果、毛髪の育毛促進等に効果があることが、発表され、マイクロナノバブルを、医療分野で利用することが注目されつつある。本発明者は、上述の生物活性化装置を試作し、ナノバブルを発生させて、糖尿病の患者で、効果を試験した。その結果、上述のように、ナノバブルが、糖尿病において、血糖値の改善等で、マイクロナノバブルよりも格段に大きな効果をもたらすことを確かめた。
【０１６５】
本発明者が見出した上記事実、すなわち、ナノバブルがマイクロナノバブルよりも血流量を増大させることができるという事実により、血流の増大が治療に有効である次の症状、すなわち、血流量の増大、血糖値の低下、糖尿病改善、しわに対する美容効果、毛髪の育毛促進、中枢神経疾患の治療、心血管系疾患の治療、代謝異常疾患の治療、消化器疾患の治療、運動器疾患の治療、および、皮膚科領域疾患の治療においては、本発明の生物活性化装置を備えた各種装置で治療を行えば、治療において格段に優れた効果を発揮することができる。
【０１６６】
すなわち、本発明の生物活性化装置を備える糖尿病治療装置は、糖尿病の治療を効率的に行うことができ、本発明の生物活性化装置を備える美容促進装置は、美容の促進を効率的に行うことができ、本発明の生物活性化装置を備える育毛促進装置は、育毛の促進を効率的に行うことができる。
【０１６７】
また、本発明の生物活性化装置を備える中枢神経疾患治療装置は、中枢神経疾患の治療を効率的に行うことができ、本発明の生物活性化装置を備える心血管系疾患治療装置は、心血管系疾患治の治療を効率的に行うことができ、本発明の生物活性化装置を備える代謝異常疾患治療装置は、代謝異常疾患の治療を効率的に行うことができる。
【０１６８】
また、本発明の生物活性化装置を備える消化器疾患治療装置は、消化器疾患の治療を効率的に行うことができ、本発明の生物活性化装置を備える運動器疾患治療装置は、運動器疾患の治療を効率的に行うことができ、本発明の生物活性化装置を備える皮膚科領域疾患治療装置は、皮膚科領域疾患の治療を効率的に行うことができる。
【０１６９】
尚、本発明の生物活性化装置が、人体にかぎらず人以外の生き物（馬等の人以外の動植物、魚類、微生物等）の活性化を行うことができることは、言うまでもない。
【図面の簡単な説明】
【０１７０】
【図１】本発明の第１実施形態の生物活性化装置である浴槽装置を模式的に示す図である。
【図２】本発明の第２実施形態の生物活性化装置である浴槽装置を模式的に示す図である。
【図３】本発明の第３実施形態の生物活性化装置である浴槽装置を模式的に示す図である。
【図４】本発明の第４実施形態の生物活性化装置である浴槽装置を模式的に示す図である。
【図５】本発明の第５実施形態の生物活性化装置である浴槽装置を模式的に示す図である。
【図６】本発明の第６実施形態の生物活性化装置である浴槽装置を模式的に示す図である。
【符号の説明】
【０１７１】
１  浴槽
２  ナノバブル発生部
３  浴槽部
４  気液混合循環ポンプ装置
５  吸い込み配管
６  吸い込み口
７  マイクロバブル発生部
８  気体せん断部
９ａ,９ｂ,９ｃ  水配管
１０  吐出口
１１  バルブ
１２  バルブ
１３  ドレーンバルブ
１５  バルブ
１６  空気配管
１７  電動ニードルバルブ
１８,１９  信号線
２０  シーケンサー
２１  濁度調節計
２２  濁度計
２３  シャワー吐出部
２４  シャワー水
２５  洗濯機行き配管
２６  洗濯機蓋
２７  洗濯機本体
２８  回転翼
３０  電動バルブ
３１  電動バルブ
３２,３３  バルブ
３４ａ,３４ｂ  電動減圧バルブ
３８  回転数制御器
３９,１３９,２３９,３３９,４３９,５３９  浴槽装置
５３  洗濯機
【図１】
2008173370.tif 000004
【図２】
2008173370.tif 000005
【図３】
2008173370.tif 000006
【図４】
2008173370.tif 000007
【図５】
2008173370.tif 000008
【図６】
2008173370.tif 000009